(57)【要約】【課題】本発明は、オフィス内に販売スペースを追加的に設けることなく、商品の販売を可能にする印刷装置を提供することを目的とする。【解決手段】本発明によれば、複数の給紙トレイを備える印刷装置であって、前記複数の給紙トレイそれぞれの属性情報を設定する設定部と、前記複数の給紙トレイのうちの一の給紙トレイを選択するためのアイコンに該給紙トレイの属性情報をそれぞれ表示するＵＩ部と、を含み、前記設定部は、前記給紙トレイの属性情報として、該給紙トレイに食料品が収容されていることを示す情報を設定する、印刷装置が提供される。【選択図】図２
2018097657.tif 000002
【特許請求の範囲】
【請求項１】
複数の給紙トレイを備える印刷装置であって、
前記複数の給紙トレイそれぞれの属性情報を設定する設定部と、
前記複数の給紙トレイのうちの一の給紙トレイを選択するためのアイコンに該給紙トレイの属性情報をそれぞれ表示するＵＩ部と、
を含み、
前記設定部は、
前記給紙トレイの属性情報として、該給紙トレイに食料品が収容されていることを示す情報を設定する、
印刷装置。
【請求項２】
給紙トレイに食料品が収容されていることを示す前記情報は、食料品の商品名である、
請求項１に記載の印刷装置。
【請求項３】
前記ＵＩ部は、
食料品を収容する給紙トレイが選択されたことに応答して、該食料品の購入を受け付けるための購入画面を表示する、
請求項１または２に記載の印刷装置。
【請求項４】
前記ＵＩ部は、
前記購入画面に前記食料品の商品情報を表示する、
請求項３に記載の印刷装置。
【請求項５】
前記ＵＩ部は、
前記購入画面を介して前記商品情報の印刷出力を受け付ける、
請求項３または４に記載の印刷装置。
【請求項６】
前記印刷装置は、
前記購入画面を介して前記食料品の購入を受け付けたことに応答して、該食料品の在庫数を更新する在庫数管理部を含み、
前記ＵＩ部は、
前記在庫数がゼロになった場合に、前記購入画面に前記食料品が売り切れた旨を表示する、
請求項３〜５のいずれか一項に記載の印刷装置。
【請求項７】
前記在庫数管理部は、
前記在庫数が所定の閾値に達した旨を登録された通知先に通知する、
請求項６に記載の印刷装置。
【請求項８】
前記設定部は、
前記給紙トレイの属性情報として、給紙トレイに食料品が収容されていることを示す前記情報の設定の可否を設定する、
請求項１〜７のいずれか一項に記載の印刷装置。
【請求項９】
複数の給紙トレイを備える印刷装置と管理サーバとを含むネットワークシステムであって、
前記印刷装置は、
前記複数の給紙トレイそれぞれの属性情報を設定する設定部と、
前記複数の給紙トレイのうちの一の給紙トレイを選択するためのアイコンに該給紙トレイの属性情報をそれぞれ表示するＵＩ部と、
給紙トレイに収容される食料品の代金の課金を要求する課金要求部と、
を含み、
前記設定部は、
前記給紙トレイの属性情報として、該給紙トレイに食料品が収容されていることを示す情報を設定し、
前記ＵＩ部は、
食料品が収容される給紙トレイが選択されたことに応答して、該食料品の購入を受け付ける購入画面を表示し、
前記課金要求部は、
前記購入画面を介して利用者から購入を受け付けた食料品の代金の課金を前記管理サーバに要求し、
前記管理サーバは、
前記印刷装置の利用者を認証する個人認証部と、
認証した利用者が購入した食料品の代金を課金する課金部と、
を含む、
ネットワークシステム。
【請求項１０】
前記管理サーバの前記課金部は、
認証した利用者に係る食料品の購入履歴を前記印刷装置に送信し、
前記印刷装置の前記ＵＩ部は、
前記管理サーバから受信した前記購入履歴を表示する、
請求項よに記載のネットワークシステム。
【請求項１１】
給紙トレイを備える印刷装置を制御するコンピュータを
給紙トレイの属性情報を設定する設定手段、
前記給紙トレイを選択するためのアイコンに該給紙トレイの属性情報を表示するＵＩ手段、
として機能させるためのプログラムであって、
前記設定手段は、
前記給紙トレイの属性情報として、該給紙トレイに食料品が収容されていることを示す情報を設定する、
プログラム。
【請求項１２】
給紙トレイを備える印刷装置と管理サーバとを含むネットワークシステムにおいて実行される方法であって、
前記印刷装置が、
給紙トレイの属性情報を設定するステップと、
前記給紙トレイを選択するためのアイコンに該給紙トレイの属性情報を表示するステップと、
給紙トレイに収容される食料品の代金の課金を要求するステップと、
を実行し、
前記設定するステップは、
前記給紙トレイの属性情報として、該給紙トレイに食料品が収容されていることを示す情報を設定するステップを含み、
前記表示するステップは、
食料品が収容される給紙トレイが選択されたことに応答して、該食料品の購入を受け付ける購入画面を表示するステップを含み、
前記課金を要求するステップは、
前記購入画面を介して利用者から購入を受け付けた食料品の代金の課金を前記管理サーバに要求するステップを含み、
前記管理サーバが、
前記印刷装置の利用者を認証するステップと、
認証した利用者が購入した食料品の代金を課金するステップと、
を実行する、
方法。
【発明の詳細な説明】
【技術分野】
【０００１】
本発明は、印刷装置、ネットワークシステム、プログラムおよび方法に関する。
【背景技術】
【０００２】
近年、オフィス内でお菓子を販売する置き菓子サービスが提供されている（例えば、オフィスグリコ（登録商標）、URL: https://www.glico.com/jp/enjoy/service/officeglico/）。このサービスでは、オフィス内の所定な場所にお菓子を収容した商品ボックスを設置し、利用者は、好きなときに商品ボックスからお菓子を取り出して購入する。このサービスでは、利用者は、商品ボックスから取り出したお菓子の代金を備え付けの代金箱に投入することになっており、専門のスタッフが定期的にオフィスを訪問して、代金の回収と商品の補充を行う。（なお、上述したサービスは、いわゆる文献公知発明に係るものではないので、記載すべき先行技術文献情報がない。）
【０００３】
しかし、これまでの置き菓子サービスでは、商品を収容する商品ボックスをオフィス内に配置することが前提となっていたため、商品ボックスを配置するための販売スペースをオフィス内に追加的に設ける必要があった。
【発明の概要】
【発明が解決しようとする課題】
【０００４】
本発明は、上記に鑑みてなされたものであり、オフィス内に販売スペースを追加的に設けることなく、商品の販売を可能にする印刷装置を提供することを目的とする。
【課題を解決するための手段】
【０００５】
本発明者は、オフィス内に販売スペースを追加的に設けることなく、商品の販売を可能にする印刷装置の構成につき鋭意検討した結果、以下の構成に想到し、本発明に至ったのである。
【０００６】
すなわち、本発明によれば、複数の給紙トレイを備える印刷装置であって、前記複数の給紙トレイそれぞれの属性情報を設定する設定部と、前記複数の給紙トレイのうちの一の給紙トレイを選択するためのアイコンに該給紙トレイの属性情報をそれぞれ表示するＵＩ部と、を含み、前記設定部は、前記給紙トレイの属性情報として、該給紙トレイに食料品が収容されていることを示す情報を設定する、印刷装置が提供される。
【発明の効果】
【０００７】
上述したように、本発明によれば、オフィス内に販売スペースを追加的に設けることなく、商品の販売を可能にする印刷装置が提供される。
【図面の簡単な説明】
【０００８】
【図１】本実施形態のネットワークシステムのシステム構成図。
【図２】本実施形態のネットワークシステムの機能ブロック図。
【図３】コピーの設定画面を示す図。
【図４】給紙トレイ管理テーブルを示す図。
【図５】商品情報管理テーブル等を示す図。
【図６】商品補充時に実行される処理を示すシーケンス図。
【図７】給紙トレイに１種類の商品が収容された様子等を示す図。
【図８】商品情報の設定方法を説明するための図。
【図９】商品販売時に実行される処理を示すシーケンス図。
【図１０】商品購入画面等を示す図。
【図１１】商品の在庫が切れた場合を説明するための図。
【図１２】商品情報および購入履歴を表示する態様を示す図。
【図１３】給紙トレイに複数種類の商品が収容された様子等を示す図。
【図１４】商品購入画面等を示す図。
【図１５】本実施形態のネットワークシステムのハードウェア構成図。
【発明を実施するための形態】
【０００９】
以下、本発明を、実施形態をもって説明するが、本発明は後述する実施形態に限定されるものではない。なお、以下に参照する各図においては、共通する要素について同じ符号を用い、適宜、その説明を省略するものとする。
【００１０】
図１は、本発明の実施形態であるネットワークシステム１０００のシステム構成を示す。図１に示すように、本実施形態のネットワークシステム１０００は、１以上の印刷装置１００と、管理サーバ２００とを含んで構成されており、管理サーバ２００と１以上の印刷装置１００は、インターネットなどとして参照されるネットワーク６０を介して相互通信可能に接続されている。
【００１１】
印刷装置１００は、複数（２以上）の給紙トレイ３０を備える印刷装置であり、好ましくは、ＭＦＰ(Multi Function Peripheral)である。以下では、印刷装置１００としてＭＦＰを採用した場合を例にとって説明を行うものとし、ＭＦＰ１００として参照する。本実施形態では、各ＭＦＰ１００がオフィスに設置されていることを前提とし、各ＭＦＰ１００の給紙トレイ３０の一部がオフィス内における商品の販売スペースとして流用される。
【００１２】
ＭＦＰ１００は、操作パネル１８を備えており、操作パネル１８のディスプレイには、ＭＦＰ１００の操作を受け付けるためユーザインターフェース（ＵＩ）が表示される。また、本実施形態においては、ＭＦＰ１００にカードリーダ１９が接続されており、ユーザは、ＭＦＰ１００の利用に先立って、個人認証のために、認証情報が記録されたＩＣカード４０をカードリーダ１９にかざすことが要求される。なお、別の実施形態では、認証情報を手で入力するようにしてもよい。
【００１３】
一方、管理サーバ２００は、ユーザの個人認証処理や商品代金の課金処理を実行するサーバである。なお、図１では、管理サーバ２００を１台の情報処理装置として図示しているが、管理サーバ２００を２以上の情報処理装置からなるシステムとして構成してもよく、その場合は、各情報処理装置をネットワーク上に分散配置してもよい。以下では、これら全ての形態を総称して“管理サーバ２００”と呼ぶものとする。
【００１４】
ここで、本システムが提供するサービスでは、商品の販売元は、ＭＦＰ１００の管理元と契約を結んだ上で、ＭＦＰ１００の給紙トレイ３０の一部を商品の収容場所として借り受け、オフィスで働く従業員を対象とした商品を給紙トレイ３０の中に陳列して販売する。なお、本サービスで販売する商品としては、お菓子や菓子パンといった間食用の食料品を例示することができる。
【００１５】
以上、本実施形態のネットワークシステム１０００のシステム構成を説明してきたが、続いて、図２に示す機能ブロック図に基づいて、ＭＦＰ１００および管理サーバ２００の機能構成を説明する。
【００１６】
ＭＦＰ１００は、ログイン処理部１０２と、ＵＩ部１０３と、設定部１０４と、在庫数管理部１０５と、課金要求部１０６と、記憶領域１０７とを含んで構成される。
【００１７】
ログイン処理部１０２は、ＭＦＰ１００に対するユーザのログイン処理を実行する手段である。
【００１８】
ＵＩ部１０３は、ＭＦＰ１００の各種機能の実行および各種設定に係る操作を受け付けるためのＵＩ画面を生成して、操作パネル１８のディスプレイに表示する手段である。図３は、ＵＩ部１０３が生成するＵＩ画面として“コピーの設定画面”を例示する。本実施形態においては、ＵＩ部１０３は、図３に示すように、コピーの設定画面に、給紙トレイを選択するための５つのアイコン１〜５を表示し、各アイコンに、給紙トレイの属性情報を表示する。
【００１９】
図３に示す例では、各アイコンに、給紙トレイの属性情報として、給紙トレイに収容される用紙サイズが表示されている。具体的には、「トレイ１」を選択するためのアイコン１に「トレイ１」に収容される用紙サイズ「Ａ４」が表示され、「トレイ２」を選択するためのアイコン２に「トレイ２」に収容される用紙サイズ「Ａ３」が表示され、「トレイ３」を選択するためのアイコン３に「トレイ３」に収容される用紙サイズ「Ｂ４」が表示され、「トレイ４」を選択するためのアイコン４に「トレイ４」に収容される用紙サイズ「Ａ４」が表示され、「手差しトレイ」を選択するためのアイコン５に「手差しトレイ」で使用する用紙サイズ「Ａ４」が表示されている。
【００２０】
設定部１０４は、ＭＦＰ１００に係る各種設定を実行する手段であり、給紙トレイに係る各種の属性情報（用紙サイズ、用紙種類、坪量など）を設定する。
【００２１】
在庫数管理部１０５は、給紙トレイに収容された食料品の在庫数を管理する手段である。
【００２２】
課金要求部１０６は、給紙トレイに収容される食料品の代金の課金を管理サーバ２００に対して要求する手段である。
【００２３】
記憶領域１０７は、図４（ａ）に示す給紙トレイ管理テーブル５００と、図５（ａ）に示す商品情報管理テーブル６００を記憶する手段である。
【００２４】
ここで、給紙トレイ管理テーブル５００は、給紙トレイの属性情報を管理するテーブルであり、図４（ａ）に示すように、給紙トレイの属性情報として、その識別情報を格納するためのフィールド５０１と、給紙トレイの属性情報として、給紙トレイに収容される用紙の「用紙サイズ」を格納するためのフィールド５０２と、給紙トレイの属性情報として、給紙トレイに収容される用紙の「用紙種類」を格納するためのフィールド５０３と、給紙トレイの属性情報として、給紙トレイに収容される商品の「商品名」を格納するためのフィールド５０４と、給紙トレイの属性情報として、「商品設定の可否」を格納するためのフィールド５０５を備えている。
【００２５】
ここで、本実施形態においては、給紙トレイの属性情報として商品名の設定を許可するか否かの設定をＳＰ値で設定できるようになっており、ＳＰ値の設定入力を受けて、設定部１０４は、その設定の可否を示す値をフィールド５０５に格納する。
【００２６】
一方、商品情報管理テーブル６００は、図５（ａ）に示すように、「商品名」を格納するためのフィールド６０１と、「価格」を格納するためのフィールド６０２と、「在庫数」を格納するためのフィールド６０３と、「商品情報」を格納するためのフィールド６０４を備えている。
【００２７】
ここで、本実施形態のＵＩ部１０３は、コピーの設定画面（図３参照）に表示する給紙トレイのアイコン１〜５を生成するときに、給紙トレイ管理テーブル５００（図４（ａ）参照）を参照して、各給紙トレイに紐付いた用紙サイズを読み出し、読み出した用紙サイズ（例えば、「Ａ４」）をアイコンに表示するようになっている。
【００２８】
なお、本実施形態では、ＭＦＰ１００に搭載されるコンピュータが、所定のプログラムを実行することにより、上述した各手段として機能する。
【００２９】
一方、管理サーバ２００は、個人認証部２０２と、課金部２０４と、記憶領域２０６とを含んで構成される。
【００３０】
個人認証部２０２は、ＭＦＰ１００の利用者の個人認証を実行する手段である。
【００３１】
課金部２０４は、認証した利用者が購入した食料品の代金を課金する手段である。
【００３２】
記憶領域２０６は、図５（ｂ）に示す課金情報管理テーブル７００を記憶する手段である。
【００３３】
ここで、課金情報管理テーブル７００は、図５（ｂ）に示すように、「ユーザＩＤ」を格納するためのフィールド７０１と、「課金日」を格納するためのフィールド７０２と、「商品名」を格納するためのフィールド７０３と、「課金額」を格納するためのフィールド７０４を備えている。
【００３４】
なお、本実施形態では、管理サーバ２００を構成するコンピュータが、所定のプログラムを実行することにより、上述した各手段として機能する。
【００３５】
以上、ＭＦＰ１００および管理サーバ２００の機能構成について説明してきたが、続いて、商品販売元の商品補充員が商品を補充する際に実行される処理の内容を図６に示すシーケンス図に基づいて説明する。
【００３６】
商品補充員は、契約先のオフィスに出向き、契約したＭＦＰ１００が備える複数の給紙トレイ３０のうち、商品の収容場所として指定された給紙トレイ３０を開け、そこに商品を補充する（Ｓ１）。
【００３７】
図７（ａ）は、ＭＦＰ１００の上から２番目の給紙トレイ３０（以下、トレイ２という）に、商品として１３個の「メロンパン」が補充された様子を示す。
【００３８】
次に、商品補充員は、契約先から貸与されたゲスト用のＩＣカードをＭＦＰ１００のカードリーダ１９にタッチする（Ｓ２）。これを受けて、ＭＦＰ１００に接続されたカードリーダ１９がＩＣカードから認証情報を読み取ると、ＭＦＰ１００のログイン処理部１０２が、読みとった認証情報を含む認証要求を管理サーバに送信する（Ｓ３）。
【００３９】
これを受けて、管理サーバ２００の個人認証部２０２は、受信した認証要求に含まれる認証情報を記憶領域２０６に保持される認証情報に照らして認証処理を実行し（Ｓ４）、ＭＦＰ１００に認証成功を返す。
【００４０】
認証成功を受けて、ログイン処理部１０２が商品補充員のログインを許可すると、ＵＩ部１０３が、操作パネル１８のディスプレイにメニュー画面を表示する（Ｓ５）。これを受けて、商品補充員は、メニュー画面を操作して、図８（ａ）に示す用紙サイズ設定画面を呼び出す。このとき画面には、ＭＦＰ１００の給紙トレイを選択するための５つのキーが表示され、これを受けて、商品補充員は、Ｓ１で商品（メロンパン）を補充したトレイ２に対応する「トレイ２」キーをタッチする。
【００４１】
商品補充員が「トレイ２」キーをタッチしたことを受けて、用紙サイズ設定画面は、図８（ｂ）に示す画面に遷移する。このとき画面には、トレイ２に収容する用紙サイズを設定するためのキーとして、６種類の用紙サイズを設定するための６つのキーと、「自動用紙選択」を設定するためのキーが表示される。さらに、この画面には、トレイ２の収容物として“商品”を設定するための「商品」キーが表示される。
【００４２】
これを受けて、商品補充員が「商品」キーをタッチすると（Ｓ６）、ＵＩ部１０３は、用紙サイズ設定画面を図８（ｃ）に示す商品設定画面に遷移させる（Ｓ７）。このとき画面には、下記（１）〜（４）に示す商品情報を入力するための入力フィールドがソフトウェアキーボード（図示せず）と共に表示される。
（１）商品名
（２）価格（円）
（３）在庫数（個）
（４）商品説明
【００４３】
これを受けて、商品補充員は、図８（ｃ）に示すように、「商品名」の入力フィールドに「メロンパン」を入力し、「価格」の入力フィールドに「２００」を入力し、「在庫数」の入力フィールドに「トレイ２」に収容したメロンパンの個数「１３」を入力し、「商品説明」の入力フィールドに「メロンパン」に関する商品説明を入力する（Ｓ８）。
【００４４】
これを受けて、設定部１０４は、入力された商品情報を商品情報管理テーブル６００（図５（ａ）参照）に設定する（Ｓ９）。具体的には、設定部１０４は、Ｓ８で入力された上記（１）、（２）、（３）、（４）に示す商品情報を、それぞれ、フィールド６０１、６０２、６０３、６０４に格納する。
【００４５】
さらに、設定部１０４は、Ｓ８で入力された商品名「メロンパン」を、「トレイ２」の属性情報として、給紙トレイ管理テーブル５００に設定する（Ｓ１０）。具体的には、設定部１０４は、図４（ｂ）に示すように、フィールド５０１に「トレイ２」が格納されているレコードのフィールド５０２の値をブランクとした上で、当該レコードのフィールド５０４に商品名「メロンパン」を格納する。
【００４６】
図４（ｂ）に示すように給紙トレイ管理テーブル５００が変更された場合、本実施形態のＵＩ部１０３は、コピーの設定画面に表示される給紙トレイのアイコンを以下のように生成する。すなわち、ＵＩ部１０３は、給紙トレイ管理テーブル５００（図４（ｂ）参照）において、「トレイ２」に係るレコードのフィールド５０２の値がブランクになっていることを受けて、フィールド５０４に格納されている商品名「メロンパン」を読み出し、「トレイ２」を選択するためのアイコン２に「メロンパン」を表示する。
【００４７】
図７（ｂ）は、商品補充員による商品情報の設定が終わった後のコピーの設定画面を示す。この場合、「トレイ２」を選択するためのアイコン２には、「トレイ２」の属性情報として、「トレイ２」に収容された商品の商品名「メロンパン」が表示されている。
【００４８】
なお、本実施形態では、給紙トレイ管理テーブル５００において、ユーザが選択した給紙トレイのレコードのフィールド５０５に「不可」が格納されていた場合は、設定部１０４は、商品補充員が「商品」キーをタッチした時点で（Ｓ６）、適切な方法でエラーを通知して、ユーザが選択した給紙トレイに商品を収容することが許可されていないことを知らせる。
【００４９】
以上、商品補充員が商品を補充する際に実行される処理を説明してきたが、続いて、ユーザが商品を購入する際に実行される処理の内容を図９に示すシーケンス図に基づいて説明する。
【００５０】
オフィスで働く従業員（以下、ユーザという）は、自分のＩＣカードをＭＦＰ１００のカードリーダ１９にタッチする（Ｓ１）。これを受けて、ＭＦＰ１００に接続されたカードリーダ１９がＩＣカードから認証情報を読み取ると、ＭＦＰ１００のログイン処理部１０２が、読みとった認証情報を含む認証要求を管理サーバに送信する（Ｓ２）。
【００５１】
これを受けて、管理サーバ２００の個人認証部２０２は、受信した認証要求に含まれる認証情報を記憶領域２０６に保持される認証情報に照らして認証処理を実行し（Ｓ３）、ＭＦＰ１００に認証成功を返す。
【００５２】
認証成功を受けて、ログイン処理部１０２がユーザのログインを許可すると、ＵＩ部１０３が、操作パネル１８のディスプレイにメニュー画面を表示する（Ｓ４）。これを受けて、ユーザは、メニュー画面を操作して、図１０（ａ）に示すコピーの設定画面を呼び出す。その後、ユーザは、コピーの設定画面に表示された給紙トレイを選択するための５つのアイコンの中から、図１０（ａ）に示すように、「メロンパン」と表示された「トレイ２」のアイコン２をタッチする（Ｓ５）。
【００５３】
これを受けて、ＵＩ部１０３は、図１０（ａ）に示すコピーの設定画面を図１０（ｂ）に示す商品購入画面に遷移させる（Ｓ６）。このとき商品購入画面には、「トレイ２」に商品（商品名：メロンパン、価格：２００円）が入っている旨が表示されるとともに、「購入」キー、「商品情報」キー、「購入履歴」キーが表示される。これを受けて、ユーザが「購入」キーをタッチすると（Ｓ７）、課金要求部１０６は、下記（１）〜（４）の情報を含む課金要求を生成して管理サーバ２００に送信する（Ｓ８）。
（１）ログインユーザのユーザＩＤ
（２）課金日（現在の日付）
（３）商品名（メロンパン）
（４）課金額（２００円）
【００５４】
これを受けて、管理サーバ２００の課金部２０４は、課金処理を実行する（Ｓ９）。具体的には、課金部２０４は、ＭＦＰ１００から受信した課金要求に含まれる上記（１）、（２）、（３）、（４）の情報を、それぞれ、課金情報管理テーブル７００（図５（ｂ）参照）のフィールド７０１、７０２、７０３、７０４に格納する。
【００５５】
一方、ＭＦＰ１００の在庫数管理部１０５は、商品購入画面を介して商品の購入を受け付けたことに応答して、商品の在庫数を更新する（Ｓ１０）。具体的には、在庫数管理部１０５は、商品情報管理テーブル６００（図５（ａ）参照）のフィールド６０３に格納された在庫数を１減じる（デクリメントする）。
【００５６】
ここで、在庫数管理部１０５は、商品情報管理テーブル６００のフィールド６０３に格納された在庫数が所定の閾値Ｎ（Ｎは０以上の整数）に達した場合、その旨を予め登録された通知先に通知する（Ｓ１１）。具体的には、担当の商品補充員の電子メールアドレスを通知先として登録しておき、図１１（ａ）に例示するような内容の電子メールを商品補充員のアドレスに宛てて送信するようにしてもよいし、担当の商品補充員の携帯端末５０を通知先として登録しておき、在庫数が所定の閾値Ｎに達した旨を商品補充員の携帯端末５０に対してプッシュ通知で通知するようにしてもよい。
【００５７】
なお、商品情報管理テーブル６００のフィールド６０３に格納された在庫数がゼロになっているときに、ユーザが、商品「メロンパン」を収容する「トレイ２」のアイコン２を選択すると、ＵＩ部１０３が、図１１（ｂ）に示す画面を表示して、商品が売り切れた旨をユーザに通知する。
【００５８】
また、本実施形態では、ユーザが、商品購入画面（図１０（ｂ）参照）に表示された「商品情報」キーをタッチすると（Ｓ１２）、ＵＩ部１０３が、商品情報管理テーブル（図５（ａ）参照）のフィールド６０４に格納されている商品情報を読み出し、読み出した商品情報を適切な方法で表示する（Ｓ１３）。図１２（ａ）は、商品「メロンパン」の商品情報をダイアログ画面で表示する例を示す。この例では、ダイアログ画面に商品情報が表示されるとともに、商品情報の印刷出力を受け付けるための「印刷」キーが表示され、ユーザが「印刷」キータッチすると、商品情報が印刷出力されるようになっている。
【００５９】
さらに、本実施形態では、ユーザが、商品購入画面（図１０（ｂ）参照）に表示される「購入履歴」キーをタッチすると（Ｓ１４）、ＵＩ部１０３が、ログインユーザのユーザＩＤを含む購入履歴要求を生成して管理サーバ２００に送信する（Ｓ１５）。
【００６０】
これを受けて、管理サーバ２００の課金部２０４は、購入履歴情報を生成する（Ｓ１６）。具体的には、課金部２０４は、受信した購入履歴要求に含まれるユーザＩＤをキーとして、課金情報管理テーブル７００（図５（ｂ）参照）のフィールド７０１を検索し、キーに合致するレコードを抽出・集計して購入履歴情報を生成し、ＭＦＰ１００に送信する。
【００６１】
これを受けて、ＭＦＰ１００のＵＩ部１０３は、受信した購入履歴情報を適切な方法で表示する。図１２（ｂ）は、ログインユーザの購入履歴情報をダイアログ画面で表示する例を示す。この例では、ダイアログ画面にログインユーザの購入履歴情報が表示されるとともに、購入履歴情報の印刷出力を受け付けるための「印刷」キーが表示され、ユーザが「印刷」キータッチすると、購入履歴情報が印刷出力されるようになっている。
【００６２】
以上、説明したように、本実施形態によれば、オフィス内に既に設置されている印刷装置の給紙トレイを商品の販売スペースとして流用することができるので、販売スペースを追加的に設けることなく、商品を販売することが可能になる。また、本実施形態によれば、商品を収容した給紙トレイを選択するためのアイコンに商品名が表示されるので、ユーザは商品が収容されている給紙トレイを容易に識別することができるようになる。
【００６３】
また、本実施形態によれば、商品を在庫数が少なくなった場合に、その旨が自動的に商品補充員などの責任者に通知されるので、品切れによる売り上げ低下を防止することができる。また、本実施形態によれば、事前の個人認証により、商品の購入者を特定することができるので、商品の代金をその都度現金で支払う代わりに、後でまとめて決済する（例えば、給与天引きなど）といったことが可能になる。また、本実施形態によれば、ユーザは、必要に応じて、商品情報や商品の購入履歴を出力して確認することができる。
【００６４】
なお、上述した実施形態では、商品を収容した給紙トレイのアイコンに「商品名」を表示する態様について説明してきたが、商品を収容した給紙トレイのアイコンに表示する属性情報は「商品名」に限定されるものではなく、給紙トレイに食料品が収容されていることを示すものであれば、いかなる情報であってもよい。ここで、給紙トレイに食料品が収容されていることを示す情報とは、給紙トレイに食料品が収容されていることを推認させる情報であればよく、そのような情報としては、商品を販売する企業のロゴ、商品を販売する販売サービス名、販売する商品のキャラクターデザインなどを例示することができる。
【００６５】
また、これまでは、給紙トレイに１種類の商品を収容して販売するケースを例にとって実施形態を説明してきたが、本実施形態では、給紙トレイに複数種類の商品を収容して販売してもよいことはいうまでもない。
【００６６】
図１３（ａ）は、ＭＦＰ１００のトレイ２に複数種類の商品（お菓子）が補充された様子を示し、図１３（ｂ）は、その補充の際に商品設定画面に入力された商品情報を示す。図１３（ｂ）に示す例では、「商品名」の入力フィールドに「オフィスでおやつ！」が入力され、「価格」の入力フィールドに「１００」が入力され、「在庫数」の入力フィールドに、その時点で「トレイ２」に収容されているお菓子の個数「４８」が入力され、「商品説明」の入力フィールドに、「オフィスでおやつ！」に関する商品説明が入力されている。
【００６７】
上述した商品情報が入力されたことを受けて、設定部１０４は、図４（ｃ）に示すように、給紙トレイ管理テーブル５００を更新する。この場合、ユーザがコピーの設定画面を呼び出すと、そこに表示される「トレイ２」のアイコン２には、「トレイ２」の属性情報として「オフィスでおやつ！」が表示されるようになる。これを受けて、ユーザがアイコン２をタッチすると、画面は、図１４（ａ）に示す商品購入画面に遷移する。これを受けて、ユーザが、図１４（ａ）に示す商品購入画面に表示される「商品情報」キーをタッチすると、図１４（ｂ）に示すように、「オフィスでおやつ！」の商品情報がダイアログ画面に表示される。
【００６８】
最後に、図１５に基づいて本実施形態のネットワークシステム１０００を構成する各装置のハードウェア構成について説明する。
【００６９】
図１５（ａ）に示すように、ＭＦＰ１００に搭載されるコンピュータは、装置全体の動作を制御するプロセッサ１０と、ブートプログラムやファームウェアプログラムなどを保存するＲＯＭ１１と、プログラムの実行空間を提供するＲＡＭ１２と、上述した各機能を実現するためのプログラムやオペレーティングシステム（ＯＳ）等を保存する補助記憶装置１３と、操作パネル１８やカードリーダ１９などの外部装置を接続するための入出力インタフェース１４と、印刷処理を実行するプリンタエンジン１５と、スキャン処理を実行するスキャンエンジン１６と、ネットワークに接続するためのネットワーク・インターフェース１７とを備えている。
【００７０】
図１５（ｂ）に示すように、本実施形態の管理サーバを構成するコンピュータは、装置全体の動作を制御するプロセッサ２０と、ブートプログラムやファームウェアプログラムなどを保存するＲＯＭ２１と、プログラムの実行空間を提供するＲＡＭ２２と、上述した各機能を実現するためのプログラムやオペレーティングシステム（ＯＳ）等を保存する補助記憶装置２３と、外部装置を接続するための入出力インタフェース２４と、ネットワークに接続するためのネットワーク・インターフェース２５とを備えている。
【００７１】
なお、上述した実施形態の各機能は、Ｃ、Ｃ＋＋、Ｃ＃、Ｊａｖａ（登録商標）などで記述されたプログラムにより実現でき、本実施形態のプログラムは、ハードディスク装置、ＣＤ−ＲＯＭ、ＭＯ、ＤＶＤ、フレキシブルディスク、ＥＥＰＲＯＭ、ＥＰＲＯＭなどの記録媒体に格納して頒布することができ、また他の装置が可能な形式でネットワークを介して伝送することができる。
【００７２】
以上、本発明について実施形態をもって説明してきたが、本発明は上述した実施形態に限定されるものではない。例えば、上述した実施形態では、給紙トレイに販売商品として「食料品」を収容する態様を説明したが、給紙トレイに収容する販売商品は、「食料品」以外の任意の商品であってもよい。その他、当業者が推考しうる実施態様の範囲内において、本発明の作用・効果を奏する限り、本発明の範囲に含まれるものである。
【符号の説明】
【００７３】
１０…プロセッサ
１１…ＲＯＭ
１２…ＲＡＭ
１３…補助記憶装置
１４…入出力インタフェース
１５…プリンタエンジン
１６…スキャンエンジン
１７…ネットワーク・インターフェース
１８…操作パネル
１９…カードリーダ
２０…プロセッサ
２１…ＲＯＭ
２２…ＲＡＭ
２３…補助記憶装置
２４…入出力インタフェース
２５…ネットワーク・インターフェース
３０…給紙トレイ
４０…ＩＣカード
５０…携帯端末
６０…ネットワーク
１００…印刷装置（ＭＦＰ）
１０２…ログイン処理部
１０３…ＵＩ部
１０４…設定部
１０５…在庫数管理部
１０６…課金要求部
１０７…記憶領域
２００…管理サーバ
２０２…個人認証部
２０４…課金部
２０６…記憶領域
５００…給紙トレイ管理テーブル
５０１,５０２,５０３,５０４,５０５…フィールド
６００…商品情報管理テーブル
６０１,６０２,６０３,６０４…フィールド
７００…課金情報管理テーブル
７０１,７０２,７０３,７０４…フィールド
１０００…ネットワークシステム
【図１】
2018097657.tif 000003
【図２】
2018097657.tif 000004
【図３】
2018097657.tif 000005
【図４】
2018097657.tif 000006
【図５】
2018097657.tif 000007
【図６】
2018097657.tif 000008
【図７】
2018097657.tif 000009
【図８】
2018097657.tif 000010
【図９】
2018097657.tif 000011
【図１０】
2018097657.tif 000012
【図１１】
2018097657.tif 000013
【図１２】
2018097657.tif 000014
【図１３】
2018097657.tif 000015
【図１４】
2018097657.tif 000016
【図１５】
2018097657.tif 000017